(57)【要約】【課題】ノズルの側面に付着している汚物を確実に除去する。【解決手段】洗浄部材は、便座に着座した使用者の局部に対し上向きに洗浄水を吐出するノズル１０Ｌ，１０Ｒに対し、上方から洗浄液を吐出する第１の吐出口２６と、ノズル１０Ｌ，１０Ｒに対し側方から洗浄液を吐出する第２の吐出口２７Ｌ，２７Ｃ，２７Ｒとを有する。局部洗浄によってノズル１０Ｌ，１０Ｒの上面１３に付着した汚物は、第１の吐出口２６から下向きに吐出される洗浄液によって除去され、ノズル１０Ｌ，１０Ｒの側面１４に付着した汚物は、第２の吐出口２７Ｌ，２７Ｃ，２７Ｒから横向きに吐出される洗浄液により除去される。【選択図】図３
2010127059.tif 000002
【特許請求の範囲】
【請求項１】
便座に着座した使用者の局部に対し上向きに洗浄水を吐出するノズルと、
前記ノズルに対し上方から洗浄液を吐出する第１の吐出口と、前記ノズルに対し側方から洗浄液を吐出する第２の吐出口とを有する洗浄部材を備えていることを特徴とする衛生洗浄装置。
【請求項２】
前記ノズルは、その上面が便鉢の内部に向かって下り勾配となる姿勢で設けられ、
前記第１の吐出口は、前後方向において、前記ノズルの上面における洗浄液の吐出指向位置と同じ位置か、吐出指向位置よりも後方に配置されていることを特徴とする請求項１記載の衛生洗浄装置。
【請求項３】
前記洗浄部材は、複数の前記吐出口に洗浄液を供給する流路部を有し、
前記複数の吐出口が、前記流路部の上流側から下流側に向かって並ぶように配置されていることを特徴とする請求項１又は請求項２記載の衛生洗浄装置。
【請求項４】
前記流路部に開口する前記複数の吐出口は、その開口面積が互いに異なっていることを特徴とする請求項３記載の衛生洗浄装置。
【請求項５】
前記洗浄部材は、前記流路部内に洗浄液を流入させるための流入部を有し、
前記流路部に開口する前記複数の吐出口の開口面積は、前記流入部から遠い下流側の前記吐出口の方が、前記流入部に近い上流側に位置する前記吐出口よりも小さいことを特徴とする請求項４記載の衛生洗浄装置。
【請求項６】
前記ノズルは、互いに並列するように２本設けられており、
前記流路部は、
前記２本のノズルの上方において前記ノズルと略直角に配されて、前記第１の吐出口を開口させる第１流路部と、
前記第１流路部から分岐して前記ノズルの両側面と対応するように下方へ延出する３つの第２流路部とを備えて構成され、
前記３つの第２流路部のうち両端側に位置する２つの前記第２流路部には、その前記ノズルと対応する一方の側面のみに前記第２の吐出口が開口し、
前記３つの第２流路部のうち中央に位置する前記第２流路部には、その両側に位置する２つの前記ノズルと対応する両方の側面に前記第２の吐出口が開口していることを特徴とする請求項３ないし請求項５のいずれか１項に記載の衛生洗浄装置。
【請求項７】
前記第１流路部の一方の端部に、前記流路部に洗浄液を流入させるための流入部が、前記第１流路部とほぼ同軸状に形成されていることを特徴とする請求項６記載の衛生洗浄装置。
【発明の詳細な説明】
【技術分野】
【０００１】
本発明は、衛生洗浄装置に関するものである。
【背景技術】
【０００２】
特許文献１には、便座に着座した使用者の局部に対し洗浄水を吐出するノズルと、ノズルに対して洗浄液を吐出する洗浄部材とを備え、ノズルに付着している汚物を、洗浄部材から吐出した洗浄液で洗い流すようにした衛生洗浄装置が開示されている。
【０００３】
ノズルは、洗浄水を吐出するときに使用者の局部の下方に位置するので、局部洗浄によって落下した汚物の多くは、ノズルの上面に落下して付着する。この装置では、洗浄部材をノズルの上方に配置して、洗浄液を下向きに吐出するようにしているので、ノズルの上面に付着した汚物を洗い流すことができる。
【特許文献１】特開２００１−２５４４２５公報
【発明の開示】
【発明が解決しようとする課題】
【０００４】
しかしながら、局部洗浄によってノズルの上面に落下した汚物の一部は、洗浄水とともにノズルの側方に流れ落ち、ノズルの側面に付着する場合があり、また、汚物の一部が局部からノズルの側面に直接付着する場合もある。このように、ノズルの側面に付着している汚物は、ノズルの上方から洗浄液を吐出するだけでは除去しきれないことがある。
【０００５】
本発明は上記のような事情に基づいて完成されたものであって、ノズルの側面に付着している汚物を確実に除去することを目的とする。
【課題を解決するための手段】
【０００６】
上記の目的を達成するための手段として、請求項１の発明は、便座に着座した使用者の局部に対し上向きに洗浄水を吐出するノズルと、前記ノズルに対し上方から洗浄液を吐出する第１の吐出口と、前記ノズルに対し側方から洗浄液を吐出する第２の吐出口とを有する洗浄部材を備えているところに特徴を有する。
【０００７】
請求項２の発明は、請求項１に記載のものにおいて、前記ノズルは、その上面が便鉢の内部に向かって下り勾配となる姿勢で設けられ、前記第１の吐出口は、前後方向において、前記ノズルの上面における洗浄液の吐出指向位置と同じ位置か、吐出指向位置よりも後方に配置されているところに特徴を有する。
【０００８】
請求項３の発明は、請求項１または請求項２に記載のものにおいて、前記洗浄部材は、複数の前記吐出口に洗浄液を供給する流路部を有し、前記複数の吐出口が、前記流路部の上流側から下流側に向かって並ぶように配置されているところに特徴を有する。
【０００９】
請求項４の発明は、請求項３に記載のものにおいて、前記流路部に開口する前記複数の吐出口は、その開口面積が互いに異なっているところに特徴を有する。
【００１０】
請求項５の発明は、請求項４に記載のものにおいて、前記洗浄部材は、前記流路部内に洗浄液を流入させるための流入部を有し、前記流路部に開口する前記複数の吐出口の開口面積は、前記流入部から遠い下流側の前記吐出口の方が、前記流入部に近い上流側に位置する前記吐出口よりも小さいところに特徴を有する。
【００１１】
請求項６の発明は、請求項３ないし請求項５のいずれかに記載のものにおいて、前記ノズルは、互いに並列するように２本設けられており、前記流路部は、前記２本のノズルの上方において前記ノズルと略直角に配されて、前記第１の吐出口を開口させる第１流路部と、前記第１流路部から分岐して前記ノズルの両側面と対応するように下方へ延出する３つの第２流路部とを備えて構成され、前記３つの第２流路部のうち両端側に位置する２つの前記第２流路部には、その前記ノズルと対応する一方の側面のみに前記第２の吐出口が開口し、前記３つの第２流路部のうち中央に位置する前記第２流路部には、その両側に位置する２つの前記ノズルと対応する両方の側面に前記第２の吐出口が開口しているところに特徴を有する。
【００１２】
請求項７の発明は、請求項６に記載のものにおいて、前記第１流路部の一方の端部に、前記流路部に洗浄液を流入させるための流入部が、前記第１流路部とほぼ同軸状に形成されているところに特徴を有する。
【発明の効果】
【００１３】
＜請求項１の発明＞
局部洗浄によってノズルの上面に付着した汚物は、第１の吐出口から下向きに吐出される洗浄液によって除去され、ノズルの側面に付着した汚物は、第２の吐出口から横向きに吐出される洗浄液によって除去される。
【００１４】
＜請求項２の発明＞
ノズルの上面が便鉢の内部に向かって下り勾配となっている点に着目し、両吐出口のうち少なくとも上から洗浄液を吐出する第１の吐出口を、前後方向において、ノズルの表面における洗浄液の吐出指向位置と同じ位置か、吐出指向位置よりも後方に配置した。これにより、ノズルに向けて吐出された洗浄液は、ノズルの上面で前方へ跳ね返る。この洗浄液が跳ね返る方向は、便鉢の内部に向かう方向となるので、洗浄液が便鉢の外へ飛び散る虞はない。
【００１５】
＜請求項３の発明＞
複数の吐出口が流路部を共有しているので、１つの吐出口に１つの独立した流路部を設ける形態のものに比べると、洗浄部材の形状を簡素化することができる。
【００１６】
＜請求項４の発明＞
流路部に開口する複数の吐出口の開口面積が互いに異なるようにしたので、各吐出口において必要とされる洗浄液の吐出量や吐出圧等を適切に設定することができ、ひいては洗浄液によるノズルの洗浄効率の向上を図ることができる。
【００１７】
＜請求項５の発明＞
流入部から遠い下流側の吐出口では、圧力損失によって洗浄液の流動圧が低下するために、洗浄液の吐出の勢いが弱くなることが懸念される。そこで、本発明では、流入部から遠い下流側の吐出口の開口面積を、流入部に近い上流側に位置する吐出口よりも小さくした。これにより、下流側の吐出口から吐出する洗浄液の流量が絞られるので、その分、吐出の勢いが高められる。
【００１８】
＜請求項６の発明＞
ノズルは、互いに並列するように２本設けられているのであるが、洗浄部材は、この２本のノズルに対して洗浄液を吐出する吐出口を有しているので、２本のノズルを１つの洗浄部材だけで洗浄することが実現されている。
【００１９】
＜請求項７の発明＞
流路部に洗浄液を流入させるための流入部が、第１流路部の一方の端部においてこの第１流路部とほぼ同軸状に形成されているので、流入部が第１流路部と直角に形成されている場合に比べると、洗浄液の流動抵抗が低減される。
【発明を実施するための最良の形態】
【００２０】
＜実施形態１＞
以下、本発明を具体化した実施形態１を図１乃至図４を参照して説明する。本実施形態の衛生洗浄装置は、周知の形態の便座（図示せず）に着座した使用者の局部に対し上向きに洗浄水（常温の水又は温水）を吐出する左右一対のノズル１０Ｌ，１０Ｒと、局部洗浄によって汚れた左右両ノズル１０Ｌ，１０Ｒを洗浄するための洗浄部材２０とを備えて構成されている。尚、以下の説明において、前後方向については、図１及び図３における下方を前方ということにする。
【００２１】
ノズル１０Ｌ，１０Ｒは、周知の形態の便鉢（図示せず）の後端部において便座よりも低い位置に支持されている。便鉢の後端部には、図１に示すように前後方向に延びる左右一対のスリーブ１１Ｌ，１１Ｒが固定して設けられ、図１における右側のスリーブ１１Ｒ内には、おしり用ノズル１０Ｒが前後方向の進退移動を可能に設けられ、図１における左側のスリーブ１１Ｌ内には、ビデ用ノズル１０Ｌが前後方向の進退移動を可能に設けられている。各ノズル１０Ｌ，１０Ｒは、いずれも前後方向に細長く、内部に洗浄水の流路（図示せず）が形成されている。ノズル１０Ｌ，１０Ｒの後端部には流路に洗浄水を供給するためのホース（図示せず）が接続されている。ノズル１０Ｌ，１０Ｒの上面１３の前端部には、流路に連通して洗浄水を吐出させる吐水口１２Ｌ，１２Ｒが開口されている。
【００２２】
ノズル１０Ｌ，１０Ｒが使用されない（洗浄水を吐出しない）ときには、ノズル１０Ｌ，１０Ｒのうち吐水口１２Ｌ，１２Ｒの形成されている前端部を除いた大部分がスリーブ１１Ｌ，１１Ｒ内に収容されて、ノズル１０Ｌ，１０Ｒが待機位置（図１を参照）にある。ノズル１０Ｌ，１０Ｒが使用される（洗浄水を吐出する）ときには、いずれか一方のノズル１０Ｌ，１０Ｒがその長さ方向と平行に前方へ進出し、吐水口１２Ｌ，１２Ｒが使用者の局部の下方の洗浄位置へ移動するようになっている。このノズル１０Ｌ，１０Ｒの進退移動の方向（ノズル１０Ｌ，１０Ｒの上面１３）は、水平ではなく、前方（便鉢の内部）に向かって下り勾配となる向きである。つまり、ノズル１０Ｌ，１０Ｒは、使用時に斜め前下方へ進出するようになっている。
【００２３】
洗浄部材２０は、ノズル１０Ｌ，１０Ｒが待機位置にある状態において吐水口１２Ｌ，１２Ｒと対応する位置に配置され、図示しないブラケットにより便鉢に対して移動しないように支持されている。洗浄部材２０は、細長い直線状の第１流路部２１と、この第１流路部２１から分岐した３つの第２流路部２２Ｌ，２２Ｃ，２２Ｒとを一体に形成した形態である。３つの第２流路部２２Ｌ，２２Ｃ，２２Ｒは、第１流路部２１の左右両端位置と第１流路部２１の左右方向における中央位置から第１流路部２１と直角に片持ち状に延出した形態である。この３つの第２流路部２２Ｌ，２２Ｃ，２２Ｒは、全て同じ方向に延出しているので、互いに平行をなす。
【００２４】
また、洗浄部材２０には、第１流路部２１内に洗浄液を供給するための流入部２３が一体に形成されている。流入部２３は、第１流路部２１におけるビデ側ノズル１０Ｌに近い上流側（図１における左側）の端部に連なっていて、第１流路部２１と同軸状の円筒形をなしている。この流入部２３には、洗浄液の供給源（図示せず）に接続された供給ホース２９の下流端部が接続されている。また、第２流路部２２Ｌ，２２Ｃ，２２Ｒの奥端部（下流端部）は、閉じて袋小路状の形態となっている。
【００２５】
第１流路部２１の断面形状は方形であり、第１流路部２１の内部には、洗浄液（洗浄水と同じ常温の水又は温水）を流動させるための方形断面のメイン供給路２４が形成されている。第２流路部２２Ｌ，２２Ｃ，２２Ｒも、第１流路部２１と同じく断面形状が方形であり、第２流路部２２Ｌ，２２Ｃ，２２Ｒの内部には、上流端がメイン供給路２４に連通されていて洗浄液を流動させるための方形断面の分岐供給路２５Ｌ，２５Ｃ，２５Ｒが形成されている。
【００２６】
かかる洗浄部材２０は、第１流路部２１をノズル１０Ｌ，１０Ｒの前端部の上方において左右方向（つまり、ノズル１０Ｌ，１０Ｒの長さ方向と直角な水平方向）を向くように配置するとともに、第２流路部２２Ｌ，２２Ｃ，２２Ｒを下向きに突出させてノズル１０Ｌ，１０Ｒの側面１４と対向させるように配置されている。図１に示すように、左側の第２流路部２２Ｌと中央の第２流路部２２Ｃは、ビデ用ノズル１０Ｌを左右両側から挟むように位置し、右側の第２流路部２２Ｒと中央の第２流路部２２Ｃは、おしり用ノズル１０Ｒを左右両側から挟むように位置する。
【００２７】
第１流路部２１の下面には、ノズル１０Ｌ，１０Ｒの上面１３に向かって開口する複数の第１の吐出口２６が、第１流路部２１の長さ方向（メイン供給路２４内における洗浄液の流動方向）に沿って左右に並ぶように形成されている。尚、本実施形態では、１本のノズル１０Ｌ，１０Ｒに対して３つの第１の吐出口２６を開口させているが、１本のノズル１０Ｌ，１０Ｒに対応する第１の吐出口２６の数は、２つ以下でも、４つ以上でもよい。
【００２８】
この第１の吐出口２６の開口形状は円形であり、第１の吐出口２６の開口面積は、互いに異なる。即ち、最も上流側に位置する第１の吐出口２６の開口面積が最も大きく、下流側に位置する第１の吐出口２６ほど開口面積が小さくなっており、最も下流側に位置する第１の吐出口２６の開口面積が最も小さくなっている。
【００２９】
第１の吐出口２６の開口方向（即ち、第１の吐出口２６からの洗浄液の吐出方向）は、図４に示すように、第１流路部２１の下面及びノズル１０Ｌ，１０Ｒの上面１３と直角な方向ではなく、この両面に対して斜め方向となっている。そして、この第１の吐出口２６の開口方向は、鉛直方向に対しても斜めとなっている。また、前後方向に関しては、第１の吐出口２６は、斜め前方を向いて開口している。これにより、第１の吐出口２６は、ノズル１０Ｌ，１０Ｒの上面１３における洗浄液の吐出指向位置１３Ｐよりも後方に位置することになり、第１の吐出口２６からの洗浄液の吐出方向は、ノズル１０Ｌ，１０Ｒの前下がりに傾斜した上面１３のうち洗浄液の吐出指向位置１３Ｐより前方の領域に対して鈍角をなす。
【００３０】
図３に示すように、ビデ用ノズル１０Ｌを挟む２つの第２流路部２２Ｌ，２２Ｃの側面には、ビデ用ノズル１０Ｌの左右両側面１４に向かって開口する複数の第２の吐出口２７Ｌが、第２流路部２２Ｌ，２２Ｃの長さ方向（分岐供給路２５Ｌ，２５Ｃ内における洗浄液の流動方向）に沿って上下に並ぶように形成されている。同様に、おしり用ノズル１０Ｒを挟む２つの第２流路部２２Ｃ，２２Ｒの側面にも、おしり用ノズル１０Ｒの左右両側面１４に向かって開口する複数の第２の吐出口２７Ｒが上下に並ぶように形成されている。尚、本実施形態では、１本のノズル１０Ｌ，１０Ｒに対して２つの第２の吐出口２７Ｌ，２７Ｒを開口させているが、１本のノズル１０Ｌ，１０Ｒに対応する第１の吐出口２７Ｌ，２７Ｒの数は、１つでも、３つ以上でもよい。この第２の吐出口２７Ｌ，２７Ｒの開口形状は円形である。
【００３１】
左右両端側に位置する２つの第２流路部２２Ｌ，２２Ｒは、ノズル１０Ｌ，１０Ｒと対応する一方の側面のみに第２の吐出口２７Ｌ，２７Ｒが開口しているのに対し、中央に位置する第２流路部２２Ｃは、その左右両側面に第２の吐出口２７Ｌ，２７Ｒが開口している。換言すると、端部側に位置する２つの第２流路部２２Ｌ，２２Ｒは、いずれか一方のノズル１０Ｌ，１０Ｒの側面１４のみを洗浄するための専用の流路部であるのに対し、中央に位置する第２流路部２２Ｃは、２つのノズル１０Ｌ，１０Ｒの両方の側面１４を洗浄するための共用の流路部となっている。
【００３２】
図３に示すように、第２の吐出口２７Ｌ，２７Ｒの開口方向（即ち、第２の吐出口２７Ｌ，２７Ｒからの洗浄液の吐出方向）は、第２流路部２２Ｌ，２２Ｃ，２２Ｒの側面及びノズル１０Ｌ，１０Ｒの長さ方向と直角な方向ではなく、この側面及び長さ方向に対して斜め方向となっている。そして、この第２の吐出口２７Ｌ，２７Ｒの開口方向は、左右方向（つまり、ノズル１０Ｌ，１０Ｒの長さ方向と直角な方向）に対しても斜めとなっている。また、前後方向に関しては、第２の吐出口２７Ｌ，２７Ｒの開口方向は、斜め前方となっている。これにより、第２の吐出口２７Ｌ，２７Ｒは、ノズル１０Ｌ，１０Ｒの側面１４における洗浄液の吐出指向位置１４Ｐよりも後方に位置することになり、第２の吐出口２７Ｌ，２７Ｒからの洗浄液の吐出方向は、ノズル１０Ｌ，１０Ｒの側面１４のうち洗浄液の吐出指向位置１４Ｐよりも前方の領域に対して鈍角をなす。
【００３３】
また、流入部２３に近いビデ用ノズル１０Ｌに洗浄液を吐出する第２の吐出口２７Ｌ，２７Ｒの開口面積は、流入部２３から遠いおしり用ノズル１０Ｒに洗浄液を吐出する第２の吐出口２７Ｒの開口面積よりも広くなっている。さらに、左右両端側に位置する２つの第２流路部２２Ｌ，２２Ｒの分岐供給路２５Ｌ，２５Ｒの断面積は、中央に位置する第２流路部２２Ｃの分岐供給路２５Ｃの断面積よりも大きい。また、いずれの第２吐出口２７Ｌ，２７Ｒの開口面積も、第１の吐出口２６の開口面積より広くなっている。
【００３４】
次に、本実施形態の作用を説明する。
ノズル１０Ｌ，１０Ｒを洗浄する際には、洗浄部材２０内に所定圧力の洗浄液を供給する。供給された洗浄液は、メイン供給路２４を一方向に流れ、洗浄液の一部は途中で分岐供給路２５Ｌ，２５Ｃ，２５Ｒに供給される。メイン供給路２４を流れる洗浄液は第１の吐出口２６からノズル１０Ｌ，１０Ｒの上面１３に向けて吐出され、分岐供給路２５Ｌ，２５Ｃ，２５Ｒを流れる洗浄液は第２の吐出口２７Ｌ，２７Ｒからノズル１０Ｌ，１０Ｒの側面１４に向けて吐出される。ノズル１０Ｌ，１０Ｒの上面１３に付着している汚物は、第１の吐出口２６から吐出された洗浄液によって除去され、ノズル１０Ｌ，１０Ｒの側面１４に付着している汚物は、第２の吐出口２７Ｌ，２７Ｒから吐出された洗浄液によって除去される。このように、本実施形態によれば、ノズル１０Ｌ，１０Ｒの上面１３に付着している汚物だけでなく、ノズル１０Ｌ，１０Ｒの側面１４に付着している汚物も確実に除去することができる。
【００３５】
このノズル１０Ｌ，１０Ｒの洗浄に際しては、ノズル１０Ｌ，１０Ｒを進退させながら洗浄液を吐出してもよい。このようにすれば、ノズル１０Ｌ，１０Ｒのうち吐水口１２Ｌ，１２Ｒが配置されている前端部（即ち、最も汚物が付着し易い部分）だけでなく、吐水口１２Ｌ，１２Ｒの形成領域よりも後方の領域（前端部に比べて量は少ないものの、汚物が付着する可能性がある領域）も洗浄液によって洗浄することができる。
【００３６】
また、ノズル１０Ｌ，１０Ｒの上面１３が便鉢の内部に向かって下り勾配となっている点に着目し、第１の吐出口２６を、ノズル１０Ｌ，１０Ｒの上面１３のうち洗浄液の吐出指向位置１３Ｐよりも後方に配置したので、第１の吐出口２６からノズル１０Ｌ，１０Ｒの上面１３に向けて吐出された洗浄液は、ノズル１０Ｌ，１０Ｒの上面１３で斜め前上方へ跳ね返る。この洗浄液が跳ね返る方向は、便鉢の内部に向かう方向となるので、洗浄液が便鉢の外へ飛び散る虞はない。また、洗浄液が跳ね返る方向は、洗浄部材２０よりも前方を指向しているので、洗浄液と一緒に跳ね返った汚物が洗浄部材２０に付着する虞はない。
【００３７】
また、第２の吐出口２７Ｌ，２７Ｒを、ノズル１０Ｌ，１０Ｒの側面１４のうち洗浄液の吐出指向位置１４Ｐよりも後方に配置したので、第２の吐出口２７Ｌ，２７Ｒからノズル１０Ｌ，１０Ｒの側面１４に向けて吐出された洗浄液は、ノズル１０Ｌ，１０Ｒの側面１４で斜め前方へ跳ね返る。洗浄液が跳ね返る方向は、洗浄部材２０よりも前方を指向しているので、洗浄液と一緒に跳ね返った汚物が洗浄部材２０に付着する虞はない。
【００３８】
また、洗浄部材２０は、複数の吐出口２６，２７Ｌ，２７Ｒに洗浄液を供給する流路部２１，２２Ｌ，２２Ｃ，２２Ｒを有し、複数の吐出口２６，２７Ｌ，２７Ｒが、流路部２１，２２Ｌ，２２Ｃ，２２Ｒの上流側から下流側に向かって並ぶように配置されている。このように、複数の吐出口２６，２７Ｌ，２７Ｒが流路部２１，２２Ｌ，２２Ｃ，２２Ｒを共有しているので、１つの吐出口に１つの独立した流路部を設ける形態のものに比べると、洗浄部材２０の形状を簡素化することができる。
【００３９】
また、流路部２１，２２Ｌ，２２Ｃ，２２Ｒに開口する複数の吐出口２６，２７Ｌ，２７Ｒは、その開口面積が互いに異なっているので、各吐出口２６，２７Ｌ，２７Ｒにおいて必要とされる洗浄液の吐出量や吐出圧等を適切に設定することができ、ひいては洗浄液によるノズル１０Ｌ，１０Ｒの洗浄効率の向上を図ることができる。
【００４０】
また、ノズル１０Ｌ，１０Ｒは、ビデ用とおしり用の２本が互いに並列するように設けられているのであるが、洗浄部材２０は、この２本のノズル１０Ｌ，１０Ｒに対して洗浄液を吐出する吐出口２６，２７Ｌ，２７Ｒを有しているので、２本のノズル１０Ｌ，１０Ｒを１つの洗浄部材２０だけで洗浄することが実現されている。
【００４１】
また、ノズル１０Ｌ，１０Ｒの上面１３を洗浄する第１の吐出口２６を開口させる第１流路部２１と、ノズル１０Ｌ，１０Ｒの側面１４を洗浄する第２の吐出口２７Ｌ，２７Ｒを開口させる第２流路部２２Ｌ，２２Ｃ，２２Ｒとが、互いに連通しているので、第１の吐出口２６と第２の吐出口２７Ｌ，２７Ｒに洗浄液を供給するための流路部２１，２２Ｌ，２２Ｃ，２２Ｒは１系統だけで済み、洗浄部材２０の部品点数の削減と洗浄部材２０の形状の簡素化が実現されている。
【００４２】
また、第１流路部２１の一方の端部に、流路部２１，２２Ｌ，２２Ｃ，２２Ｒに洗浄液を流入させるための流入部２３が、第１流路部２１とほぼ同軸状に形成されているので、流入部が第１流路部と直角に形成されている場合に比べると、洗浄液の流動抵抗が低減され、吐出口２６，２７Ｌ，２７Ｒから高圧の洗浄液を吐出させることができる。
【００４３】
また、流入部２３から遠い下流側の第１の吐出口２６では、圧力損失によって洗浄液の流動圧が低下するために、洗浄液の吐出の勢いが弱くなることが懸念される。そこで、本実施形態では、流入部２３から遠い下流側の吐出口２６の開口面積を、流入部２３に近い上流側に位置する吐出口２６よりも小さくした。これにより、下流側の吐出口２６から吐出する洗浄液の流量が絞られるので、その分、洗浄液の吐出の勢いが高められる。
【００４４】
＜実施形態２＞
次に、本発明を具体化した実施形態２を図５を参照して説明する。本実施形態２の洗浄部材３０は、流入部２３に近いビデ用ノズル１０Ｌの側面１４に洗浄液を吐出する第２の吐出口３１Ｌの開口面積を、流入部２３から遠いおしり用ノズル１０Ｒの側面１４に洗浄液を吐出する第２の吐出口３１Ｒの開口面積よりも狭くした、という点において上記実施形態１の洗浄部材２０とは構成が異なっている。その他の構成については上記実施形態１と同じであるため、同じ構成については、同一符号を付し、構造、作用及び効果の説明は省略する。
【００４５】
＜他の実施形態＞
本発明は上記記述及び図面によって説明した実施形態に限定されるものではなく、例えば次のような実施態様も本発明の技術的範囲に含まれる。
【００４６】
（１）上記実施形態では、洗浄液として洗浄水と同じ常温水又は温水を用いたが、洗浄液としては、洗浄効果を高めるための薬剤を混入した水以外の液剤を用いることができる。
【００４７】
（２）上記実施形態では、ノズルがその長さ方向と平行に進退移動する場合について説明したが、本発明は、ノズルがその長さ方向と交差する方向へ変位する場合にも適用できる。
【００４８】
（３）上記実施形態では、ノズルが便鉢の後端部から便鉢内に向けて斜め前下方へ突き出す形態としたが、ノズルは、水平に前方へ突き出す形態であってもよい。この場合、ノズルの表面で跳ね返った洗浄液が便鉢の外へへ飛び散るのを防止するためには、両吐出口のうち少なくとも第１の吐出口は、ノズルの表面における洗浄液の吐出指向位置よりも後方に配置されていることが好ましい。
【００４９】
（４）上記実施形態では、第１の吐出口と第２の吐出口の両方を、ノズルの表面における洗浄液の吐出指向位置よりも後方に配置したが、ノズルの表面における洗浄液の吐出指向位置よりも後方に配置するのは、第１の吐出口だけであってもよい。
【００５０】
（５）上記実施形態では、吐出口を、ノズルの表面における洗浄液の吐出指向位置よりも後方に配置したが、本発明によれば、吐出口は、ノズルの表面における洗浄液の吐出指向位置と同じ位置に配置してもよい。
【００５１】
（６）上記実施形態では１つの流路部に複数の吐出口を開口させたが、本発明によれば、１つの吐出口に対して１つの独立した流路部を設けてもよい。
【００５２】
（７）上記実施形態では流入部に近い側の第２の吐出口の開口面積と流入部から遠い側の第２の吐出口の開口面積とが互いに異なるようにしたが、本発明によれば、全ての第２の吐出口の開口面積が同じであってもよい。
【００５３】
（８）上記実施形態では、流入部から遠い下流側の第１の吐出口の開口面積を、流入部に近い上流の第１の吐出口よりも小さくしたが、本発明によれば、全ての第１の吐出口の開口面積を同じとしてもよく、流入部に近い上流側の第１の吐出口の開口面積を、流入部から遠い下流側の第１の吐出口の開口面積よりも小さくしてもよい。
【００５４】
（９）上記実施形態では第２吐出口の開口面積を第１の吐出口の開口面積よりも広くしたが、第１吐出口の開口面積を、第２の吐出口の開口面積より広くしてもよい。
【００５５】
（１０）上記実施形態では１つの洗浄部材が１つの流路部を有し、この流路部に全ての吐出口を開口させたが、本発明によれば、１つの洗浄部材が複数の流路部を有し、各流路部に１つ又は複数の吐出口を開口させてもよい。この場合、流路部の形態としては、Ｌ字形又は「コ」字形に屈曲した形状であって第１の吐出口と第２の吐出口の両方を開口させる形態、全体として直線状をなして第１の吐出口のみを開口させる形態、全体として直線状をなして第２の吐出口のみを開口させる形態のいずれであってもよい。
【００５６】
（１１）上記実施形態では１つの洗浄部材が２つのノズルを洗浄するようにしたが、本発明によれば、２つの洗浄部材を設け、各洗浄部材が個別に１つのノズルのみを洗浄するようにしてもよい。
【００５７】
（１２）上記実施形態では２本のノズルの間に第２流路部が介在するようにしたが、本発明によれば、２本のノズルの間に第２流路部を介在させない形態としてもよい。
【００５８】
（１３）上記実施形態では流入部を第１流路部と同軸状に設けたが、本発明によれば、流入部を第１流路部に対して交差する方向に設けてもよい。
【００５９】
（１４）上記実施形態では流入部を第１流路部の端部に設けたが、流入部は、第１流路部における端部以外の位置に配置してもよく、第２流路部に設けてもよい。
【００６０】
（１５）上記実施形態ではノズルが２本設けられている場合について説明したが、本発明は、ノズルが１本だけである場合にも適用できる。
【図面の簡単な説明】
【００６１】
【図１】実施形態１においてノズルと洗浄部材との位置関係をあらわす平面図
【図２】洗浄部材の斜視図
【図３】洗浄部材の一部を切欠した状態をあらわす拡大平面図
【図４】図３のＸ−Ｘ線断面図
【図５】実施形態２において洗浄部材の一部を切欠した状態をあらわす平面図
【符号の説明】
【００６２】
１０Ｌ…ビデ用ノズル
１０Ｒ…おしり用ノズル
２０…洗浄部材
２１…第１流路部
２２Ｌ，２２Ｃ，２２Ｒ…第２流路部
２３…流入部
２６…第１の吐出口
２７Ｌ，２７Ｃ，２７Ｒ…第２の吐出口
【図１】
2010127059.tif 000003
【図２】
2010127059.tif 000004
【図３】
2010127059.tif 000005
【図４】
2010127059.tif 000006
【図５】
2010127059.tif 000007